(57)【要約】【課題】  バリカン刃と鋸刃とを備え刈込機において、鋸刃による切断をより確実に行うことができるようにする。【解決手段】  側縁にバリカン刃７ａ，８ａを備えた一対の重設されたブレード７，８のうち少なくとも一方を往復動させるとともに、往復動するブレード７，８に鋸刃１３を設けた刈込機１において、鋸刃１３による切断対象物を支持するガイド１４を設けた。【選択図】      図１
2006149222.tif 000002
【特許請求の範囲】
【請求項１】
側縁にバリカン刃を備えた一対の重設されたブレードのうち少なくとも一方を往復動させるとともに、往復動するブレードに鋸刃を設けた刈込機において、
鋸刃による切断対象物を支持するガイドを設けたことを特徴とする刈込機。
【請求項２】
前記ガイドによって切断対象物を鋸刃往復方向の所定区間内に保持可能とし、当該区間の長さを可変設定可能に構成したことを特徴とする請求項１に記載の刈込機。
【請求項３】
一対のブレードの双方に鋸刃を設け、それら鋸刃の刃先方向を相互に逆に設定したことを特徴とする請求項１または２に記載の刈込機。
【請求項４】
前記鋸刃を押し切りおよび引き切りの双方で切断可能な刃としたことを特徴とする請求項１〜３のうちいずれか一つに記載の刈込機。
【請求項５】
前記鋸刃をブレードに対して着脱可能に構成したことを特徴とする請求項１〜４のうちいずれか一つに記載の刈込機。
【発明の詳細な説明】
【技術分野】
【０００１】
本発明は、植木や生け垣等の刈り込みを行う刈込機に関する。
【背景技術】
【０００２】
従来、植木や生け垣等の刈り込みを行う刈込機として、側縁に凹凸形状が反復する細長い板状のバリカン刃を長手方向に往復動させて枝を切断するものがある。
【０００３】
この種の刈込機は、通常、比較的細い枝の切断を主目的として作られているため、切断対象となる植木等に太い枝が含まれるような状況では使いづらい。この場合、刈込機で切断できないような太い枝は、手引き鋸等で切断されていたが、工具を取り替える分、手間が増えるという問題があった。
【０００４】
そこで、下記特許文献１では、バリカン刃に太枝切断用の鋸刃を設け、電動鋸として使用できるようにしたものが提案されている。
【特許文献１】実開昭６１−８３８４７号公報
【発明の開示】
【発明が解決しようとする課題】
【０００５】
しかしながら、上記従来の刈込機では、太枝を鋸刃で切断する際に、太枝が鋸刃とともに動いてしまい、うまく切断できない場合があった。
【０００６】
そこで、本発明は、バリカン刃と鋸刃とを備え刈込機において、鋸刃による切断をより確実に行うことができるようにすることを目的とする。
【課題を解決するための手段】
【０００７】
請求項１の発明にあっては、側縁にバリカン刃を備えた一対の重設されたブレードのうち少なくとも一方を往復動させるとともに、往復動するブレードに鋸刃を設けた刈込機において、鋸刃による切断対象物を支持するガイドを設けたことを特徴とする。
【０００８】
請求項２の発明にあっては、上記ガイドによって切断対象物を鋸刃往復方向の所定区間内に保持可能とし、当該区間の長さを可変設定可能に構成したことを特徴とする。
【０００９】
請求項３の発明にあっては、一対のブレードの双方に鋸刃を設け、それら鋸刃の刃先方向を相互に逆に設定したことを特徴とする。
【００１０】
請求項４の発明にあっては、上記鋸刃を押し切りおよび引き切りの双方で切断可能な刃としたことを特徴とする。
【００１１】
請求項５の発明にあっては、上記鋸刃をブレードに対して着脱可能に構成したことを特徴とする。
【発明の効果】
【００１２】
請求項１の発明によれば、ガイドによって切断対象物を支持することにより、当該切断対象物が鋸刃とともに振動するのが抑制され、より確実に切断することができる。
【００１３】
請求項２の発明によれば、切断対象物を鋸刃往復方向に保持する区間の長さを可変設定することができるため、種々の太さの枝を当該区間内に収めて、より確実に切断することができる。
【００１４】
請求項３の発明によれば、刃先方向が相互に逆の二つの鋸刃により、当該鋸刃による切断抵抗が相殺され、反動を軽減することができる。
【００１５】
請求項４の発明によれば、切断対象物を、押し切りおよび引き切りの双方で、より迅速に切断することができる。
【００１６】
請求項５の発明によれば、不要な時には鋸刃をブレードから取り外し、より軽い状態で使用することができる。
【発明を実施するための最良の形態】
【００１７】
以下、本発明の実施形態について図面を参照しながら詳細に説明する。
【００１８】
（第１実施形態）図１は、本実施形態にかかる刈込機の平面図、図２は、刈込機の側面図である。
【００１９】
本実施形態にかかる刈込機１は、本体部２内に内蔵するモータ（図示せず）の回転を偏心カム機構等でブレード７，８のうち少なくともいずれか一方の往復動作に変換し、ブレード７，８の側縁に設けたバリカン刃７ａ（上刃），８ａ（下刃）や、ブレード７，８のうち少なくとも往復動作するものに設けた鋸刃１３により、植木や生け垣の枝等の切断を行うものである。この刈込機１によれば、バリカン刃７ａ，８ａによっては切断が難しい比較的太い枝等についても、鋸刃１３を用いて切断することができる。
【００２０】
この刈込機１は、図１および図２の左側を作業者に近い側（手前側）として、スイッチ３が設けられたグリップ４と補助グリップ５とを把持して使用される。また、本体部２の前部（図１および図２の右側の部分）には、保護カバー６が装着されている。
【００２１】
そして、この刈込機１には、本体部２から前方に向けて、相互に平行な上押板９および下押板１０が延設されており、これら上押板９および下押板１０の間に、一対（二枚）の重設されたブレード７，８が狭持されている。ブレード７，８は、結合部１１によって相対的に往復動可能に締結されており、二つのブレード７，８のうち少なくともいずれか一方が長手方向に往復動することで、上側のブレード７の側縁に形成された上刃７ａと下側のブレード８の側縁に形成された下刃８ａとの間の間隙１２に導入された枝等の切断対象物（図示せず）が切断される。
【００２２】
一方、鋸刃１３は、一対のブレード７，８のうちいずれか一方（例えば上側のブレード７）の少なくとも片側の側縁（例えば両側縁）に設けられる。さらに、この鋸刃１３は、ねじ２０によってブレード７，８のうち少なくともいずれか一方（例えば上側のブレード７）の根元側に着脱自在に固定されている。なお、鋸刃１３をブレードの先端側に設けてもよい。
【００２３】
そして、本実施形態にかかる刈込機１は、鋸刃１３による切断対象物を支持するガイド１４を有している。具体的には、ガイド１４は、細長い板状の上押板９に、鋸刃１３の側縁より外側となる位置まで当該上押板９の幅方向に伸びるリブとして突設されている。このガイド１４は、ブレード７の側縁ごとに二つずつ、相互に平行に設けられており、二つのガイド１４間の間隙１５内に導入された対象物にガイド１４の前端または後端を突き当てることで、鋸刃１３の往復動に伴う対象物の振動や移動を抑制できるようにしている。なお、ガイド１４は、下押板１０や、本体部２に設けるようにしてもよいし、それらに着脱可能に取り付けるようにしてもよい。
【００２４】
以上のように、本実施形態によれば、鋸刃１３による切断対象物を支持するガイド１４を設けたため、切断対象物が鋸刃１３とともに振動するのが抑制され、より確実に切断することができる。
【００２５】
また、本実施形態によれば、鋸刃１３をブレード７に対して着脱可能に構成したため、不要な時には鋸刃を取り外し、より軽い状態で使用することができる。
【００２６】
（第２実施形態）図３は、本実施形態にかかる刈込機の外観を示す側面図である。なお、本実施形態にかかる刈込機１Ａは、上記第１実施形態にかかる刈込機１と同様の構成要素を備えている。よって、それら同様の構成要素については同じ符号を付与するとともに、重複する説明を省略する。
【００２７】
本実施形態にかかる刈込機１Ａは、ガイド１４Ａによって切断対象物を鋸刃往復方向Ａの所定区間内に保持可能とし、当該区間の長さＢを可変設定可能に構成したものである。具体的には、一対のガイド１４ａ，１４ｂのうち少なくともいずれか一方（本実施形態では根元側のガイド１４ｂ）の鋸刃往復方向Ａの固定位置を可変設定自在としている。すなわち、ガイド１４ｂに、鋸刃往復方向Ａに沿って伸びる長穴１６を設け、この長穴１６を貫通するネジ１７により、当該ガイド１４ｂと上押板９とを締結するようにしている。
【００２８】
本実施形態によれば、ガイド１４Ａによって切断対象物を鋸刃往復方向Ａの所定区間内に保持可能とし、当該区間の長さＢを可変設定可能に構成したため、種々の太さの枝を当該区間内に収めて、より確実に切断することができる。特に、一対のガイド１４ａ，１４ｂで、切断対象物を狭持するようにすれば、より一層確実にかつより迅速に切断することができるようになる。
【００２９】
なお、本実施形態では、鋸刃１３は、ブレード７と一体化しているが、これを第１実施形態のようにブレード７に着脱可能に構成することも可能であるし、ガイド１４ａ，１４ｂを上押板９等に対して着脱可能としてもよい。
【００３０】
（第３実施形態）図４は、本実施形態にかかる刈込機の鋸刃の平面図、図５は、鋸刃の側面図である。なお、本実施形態にかかる鋸刃は、上記第１または第２実施形態にかかる刈込機に設けることができるものである。
【００３１】
本実施形態では、重設される一対のブレード７，８の双方に鋸刃１８ａ，１８ｂを設け、当該鋸刃１８ａ，１８ｂの刃先方向を相互に逆に設定している。こうすることで、二つの鋸刃１８ａ，１８ｂの切断抵抗力が相互に逆方向に作用することになり、これらを相殺することができる。よって、作業者への反動を軽減することができる。
【００３２】
（第４実施形態）図６は、本実施形態にかかる刈込機の鋸刃の平面図である。なお、本実施形態にかかる鋸刃は、上記第１または第２実施形態にかかる刈込機に設けることができるものである。
【００３３】
本実施形態では、ブレード７または８に取り付ける鋸刃２８を、押し切りおよび引き切りの双方で切断可能な刃として構成している。具体的には、鋸刃２８の各刃が、刃先がブレードの先端部側を向く刃部２８ａと、本体部側を向く刃部２８ｂとを有する構成としている。こうすることで、鋸刃２８の往動および復動の双方で切断することができるため、より迅速に対象物を切断することができる。
【００３４】
以上、本発明の好適な実施形態について説明したが、本発明は上記実施形態に限定されるものではなく、要旨を逸脱しない範囲で上記実施形態に種々の改変を施すことができる。
【図面の簡単な説明】
【００３５】
【図１】本発明の第１実施形態にかかる刈込機の平面図。
【図２】本発明の第１実施形態にかかる刈込機の側面図。
【図３】本発明の第２実施形態にかかる刈込機の平面図。
【図４】本発明の第３実施形態にかかる刈込機の鋸刃の平面図。
【図５】本発明の第３実施形態にかかる刈込機の鋸刃の側面図。
【図６】本発明の第４実施形態にかかる刈込機の鋸刃の平面図。
【符号の説明】
【００３６】
１，１Ａ  刈込機
７，８  ブレード
７ａ，８ａ  バリカン刃
１３，１８ａ，１８ｂ，２８  鋸刃
１４，１４Ａ  ガイド
【図１】
2006149222.tif 000003
【図２】
2006149222.tif 000004
【図３】
2006149222.tif 000005
【図４】
2006149222.tif 000006
【図５】
2006149222.tif 000007
【図６】
2006149222.tif 000008